(57)【要約】【課題】  機械的機構や調光ガラスによるマスクが不要で、無映像部をフレームに対して自然に目立たなくすることができる映像表示装置を提供すること。【解決手段】  本リアプロジェクション装置１０では、外装枠４１に対して無映像領域ＴＱ，ＢＱが浮き立つことを防止できるだけでなく、制限表示領域ＬＡの外縁４辺が線状枠領域ＦＬによって強調され、外装枠４１と無映像領域ＴＱ，ＢＱとがより一体的に観察されるので、制限表示領域ＬＡに形成された通常と異なるアスペクト比の映像を違和感なく鑑賞することができる。また、本リアプロジェクション装置１０では、複数の外装枠４１，１４１を交換可能にも拘らず、交換前後において、外装枠４１，１４１と無映像領域ＴＱ，ＢＱとが一体的に観察され、制限表示領域ＬＡに形成された映像を違和感なく鑑賞することができる。【選択図】    図３
2006201425.tif 000002
【特許請求の範囲】
【請求項１】
所定の有効領域を有し当該有効領域に映像を表示可能な映像表示部と、
前記映像表示部に取り付けられて前記有効領域の輪郭に対応する開口を有する外装枠と、
前記有効領域の大きさ以下の映像サイズを有する映像を、前記映像表示部の前記有効領域内の一部である制限表示領域に表示可能であるとともに、前記外装枠の色彩に関連付けられた所定の第１色彩を、前記有効領域内のうち前記制限表示領域を除いた無映像領域に表示可能であり、前記無映像領域に前記第１色彩を表示した場合に、前記制限表示領域と前記無映像領域との境界の線状領域に、前記外装枠の色彩と前記第１色彩とに対して類似性の低い所定の第２色彩を表示させる表示制御装置と
を備える映像表示装置。
【請求項２】
前記所定の有効領域は第１アスペクト比を有し、前記制限表示領域に表示すべき映像は前記第１アスペクト比と異なる第２アスペクト比を有することを特徴とする請求項１記載の映像表示装置。
【請求項３】
表示制御装置は、前記第２アスペクト比の映像に対する前記制限表示領域を前記有効領域内の最大限に設定するとともに、前記無映像領域に前記第１色彩を表示した場合に、前記有効領域と前記外装枠との境界の線状領域にも、前記所定の第２色彩を表示させることを特徴とする請求項２記載の映像表示装置。
【請求項４】
前記映像表示部の周囲の環境変化を検出する環境センサをさらに備え、前記表示制御装置は、前記環境センサの出力に基づいて前記無映像領域に表示させる前記第１色彩を変化させることを特徴とする請求項１から請求項３のいずれか一項記載の映像表示装置。
【請求項５】
前記表示制御装置は、前記環境センサの出力に応じて、前記無映像領域に表示させる前記第１色彩の色相及び明度を変化させることを特徴とする請求項４記載の映像表示装置。
【請求項６】
前記外装枠の交換を検出する枠センサをさらに備え、前記第１色彩は、交換後の外装枠の色彩と関連付けたものに切り替えられることを特徴とする請求項１から請求項５のいずれか一項記載の映像表示装置。
【請求項７】
前記枠センサは、前記外装枠の背後に設けた光センサの出力に基づいて前記外装枠の交換を検出することを特徴とする請求項６記載の映像表示装置。
【請求項８】
前記第１色彩は、前記外装枠が有する色彩の色相と同一色相若しくは類似色相であることを特徴とする請求項１から請求項７のいずれか一項記載の映像表示装置。
【請求項９】
前記第２色彩は、前記外装枠の色彩の色相に対して補色若しくは当該補色の類似色相、又は前記外装枠の色彩に対して明度差のある無彩色であることを特徴とする請求項１から請求項７のいずれか一項記載の映像表示装置。
【請求項１０】
所定の有効領域を有し当該有効領域に映像を表示可能な映像表示部と、
前記映像表示部に取り付けられて前記有効領域の輪郭に対応する開口を有する外装枠と、
前記映像表示部の周囲の環境変化、又は前記外装枠の交換を検出するセンサと、
前記有効領域の大きさ以下の映像サイズを有する映像を、前記映像表示部の前記有効領域内の一部である制限表示領域に表示可能であるとともに、前記外装枠の色彩に関連付けられた所定の第１色彩を、前記有効領域内のうち前記制限表示領域を除いた無映像領域に表示可能であり、前記無映像領域に前記第１色彩を表示した場合に、前記センサの出力に基づいて前記無映像領域に表示させる前記第１色彩を変化させる表示制御装置と
を備える映像表示装置。
【発明の詳細な説明】
【技術分野】
【０００１】
本発明は、リアプロジェクション装置、液晶ディスプレイ、ＣＲＴその他の映像表示装置に関する。
【背景技術】
【０００２】
従来の映像表示装置では、アスペクト比が４：３の画面にアスペクト比が１６：９の映像を上下を黒くしたレターボックス形式で表示する場合や、逆にアスペクト比が１６：９の画面にアスペクト比が４：３の映像を左右を黒くしたサイドブラック形式で表示する場合がある。このような場合、上下や左右の無映像部の存在が目に付き、映像鑑賞の妨げとなる傾向がある。
【０００３】
以上のように表示画面のアスペクト比と表示映像のアスペクト比とが異なる場合において、表示画面上に現れる無映像部を少しでも減少させるべく、ズームやパノラマ表示などの細工が行われているが（例えば特許文献１等参照）、このような映像処理では映像の欠落や歪みの発生を回避することができない。
【０００４】
一方、映像を欠落や歪みなく表示した場合の無映像部を目立たなくする技術として、画面近傍に調整可能なカバー、可動エスカッション、可動枠等の機械的機構を設けるものが存在する（特許文献２，３，４参照）。
【０００５】
また、映像を欠落や歪みなく表示した場合の無映像部を目立たなくする別の技術として、アスペクト比１６：９のＣＲＴパネルガラスの前面に調光ガラスを配置して、調光ガラス中央の４：３の部分に透過部分を形成するものが存在する（特許文献５参照）。
【０００６】
また、映像を欠落や歪みなく表示した場合の無映像部を目立たなくする別の技術として、ワイドディスプレイのサイドパネル部（すなわち無映像部）に任意のカラーを表示させるアスペクト比変換装置が存在する（特許文献６参照）。このアスペクト比変換装置では、ディスプレイのフレーム部のカラーに応じてサイドパネル部に表示するカラーを設定できるようになっている。
【０００７】
その他、ワイドディスプレイのサイドパネル部に単一色を表示させるものも存在する（特許文献７参照）。
【特許文献１】特開２００３−３３３４６２号公報
【特許文献２】特開平３−８９６８６号公報
【特許文献３】特開平４−１６０９８９号公報
【特許文献４】実開平２−４４４７８号公報
【特許文献５】特開平６−２６０１１３号公報
【特許文献６】特開２００３−８７８１９号公報
【特許文献７】特開平６−２９２１３８号公報
【発明の開示】
【発明が解決しようとする課題】
【０００８】
しかし、上記特許文献２，３，４のように機械的機構を用いる場合、応答性や省スペースの観点で問題がある。
【０００９】
また、上記特許文献５のように調光ガラスを用いる方法は、調光ガラスによるコストの増加や透過光の減光が無視できないものとなる。
【００１０】
また、上記特許文献６等のようにサイドパネル部に任意のカラーを表示させるアスペクト比変換装置は、簡易に無映像部を目立たなくできる点で優れるが、サイドパネル部は自発光型の色彩であり、フレームは受光型の色彩であることから、サイドパネル部がどうしても浮き立って表現される傾向が生じる。また、このようなアスペクト比変換装置では、無映像部であるサイドパネル部の色彩が固定的に設定されるので、映像鑑賞の環境や状況の変動に原因してサイドパネル部が目立ってしまう可能性がある。
【００１１】
そこで、本発明は、機械的機構や調光ガラスによるマスクが不要で、無映像部をフレームに対して自然に目立たなくすることができる映像表示装置を提供することを目的とする。
【課題を解決するための手段】
【００１２】
上記課題を解決するため、本発明に係る第１の映像表示装置は、（ａ）所定の有効領域を有し当該有効領域に映像を表示可能な映像表示部と、（ｂ）映像表示部に取り付けられて有効領域の輪郭に対応する開口を有する外装枠と、（ｃ）有効領域の大きさ以下の映像サイズを有する映像を、映像表示部の有効領域内の一部である制限表示領域に表示可能であるとともに、外装枠の色彩に関連付けられた所定の第１色彩を、有効領域内のうち制限表示領域を除いた無映像領域に表示可能であり、無映像領域に第１色彩を表示した場合に、制限表示領域と無映像領域との境界の線状領域に、外装枠の色彩と第１色彩とに対して類似性の低い所定の第２色彩を表示させる表示制御装置とを備える。
【００１３】
上記映像表示装置では、表示制御装置が、無映像領域に第１色彩を表示した場合に、制限表示領域と無映像領域との境界の線状領域に、外装枠の色彩と第１色彩とに対して類似性の低い所定の第２色彩を表示させるので、制限表示領域と無映像領域との境界が線状領域によって強調され、無映像領域が外装枠と一体的なものとして認識されやすくなる。つまり、線状領域によって制限表示領域の外縁が引き立つ結果として、無映像領域が目立ちにくくなり或いは外装枠と一体視されやくすくなるので、制限表示領域に表示された通常と異なるサイズやアスペクト比の映像を違和感なく鑑賞することができる
【００１４】
また、本発明の具体的側面又は態様では、上記映像表示装置において、所定の有効領域が第１アスペクト比を有し、制限表示領域に表示すべき映像が第１アスペクト比と異なる第２アスペクト比を有する。この場合、映像のアスペクト比に適合して、あたかも外装枠が変化するかような映像表示装置を提供することができる。
【００１５】
また、本発明の別の具体的側面又は態様では、上記映像表示装置において、表示制御装置が、第２アスペクト比の映像に対する制限表示領域を有効領域内の最大限に設定するとともに、無映像領域に第１色彩を表示した場合に、有効領域と外装枠との境界の線状領域にも、所定の第２色彩を表示させる。この場合、第２アスペクト比の映像を最大表示することになり、制限表示領域と外装枠とが接する箇所が形成されることになるが、結果的に、線状領域によって制限表示領域の外縁を引き立たせることができ、制限表示領域に形成された映像を違和感なく鑑賞することができる。
【００１６】
また、本発明の別の具体的態様では、映像表示部の周囲の環境変化を検出する環境センサをさらに備え、表示制御装置が、環境センサの出力に基づいて無映像領域に表示させる第１色彩を変化させる。この場合、周囲環境の変化に拘らず、無映像領域を外装枠と一体視されやすい状態に維持することができるので、制限表示領域に形成された映像を常に違和感なく鑑賞することができる。
【００１７】
また、本発明のさらに別の具体的態様では、表示制御装置が、環境センサの出力に応じて、無映像領域に表示させる第１色彩の色相及び明度を変化させる。この場合、周囲環境の変化に対して柔軟かつ多様に対応することができる。
【００１８】
また、本発明のさらに別の具体的態様では、外装枠の交換を検出する枠センサをさらに備え、第１色彩が、交換後の外装枠の色彩と関連付けたものに切り替えられる。この場合、外装枠の交換に拘わらず、無映像領域を外装枠と一体視されやすい状態に維持することができるので、制限表示領域に形成された映像を常に違和感なく鑑賞することができる。
【００１９】
また、本発明のさらに別の具体的態様では、枠センサが、外装枠の背後に設けた光センサの出力に基づいて外装枠の交換を検出する。この場合、外装枠の透過光等を利用して外装枠の色彩等を判定することができる。
【００２０】
また、本発明のさらに別の具体的態様では、第１色彩が、外装枠が有する色彩の色相と同一色相若しくは類似色相である。この場合、無映像領域と外装枠とが一体視されやくすくなる。
【００２１】
また、本発明のさらに別の具体的態様では、第２色彩が、外装枠の色彩の色相に対して補色若しくは当該補色の類似色相、又は外装枠の色彩に対して明度差のある無彩色である。この場合、制限表示領域の外縁を違和感なく効果的に引き立たせることができる。
【００２２】
また、本発明に係る第２の映像表示装置は、（ａ）所定の有効領域を有し当該有効領域に映像を表示可能な映像表示部と、（ｂ）映像表示部に取り付けられて有効領域の輪郭に対応する開口を有する外装枠と、（ｃ）映像表示部の周囲の環境変化、又は外装枠の交換を検出するセンサと、（ｄ）有効領域の大きさ以下の映像サイズを有する映像を、映像表示部の有効領域内の一部である制限表示領域に表示可能であるとともに、外装枠の色彩に関連付けられた所定の第１色彩を、有効領域内のうち制限表示領域を除いた無映像領域に表示可能であり、無映像領域に第１色彩を表示した場合に、センサの出力に基づいて無映像領域に表示させる第１色彩を変化させる表示制御装置とを備える。
【００２３】
上記映像表示装置では、表示制御装置が、無映像領域に第１色彩を表示した場合に、センサの出力に基づいて無映像領域に表示させる第１色彩を変化させるので、周囲環境の変化や外装枠の交換に対応して、無映像領域を外装枠と一体視されやすい状態に維持することができ、制限表示領域に形成された映像を常に違和感なく鑑賞することができる。
【発明を実施するための最良の形態】
【００２４】
〔第１実施形態〕
図１は、本発明の第１実施形態に係るリアプロジェクション装置の全体構造を説明する側面図である。このリアプロジェクション装置１０は、動画や静止画を表示するための映像表示装置であり、筐体であるケース１２の底部にプロジェクタ本体１４を備え、ケース１２内の背面側上部に反射ミラー１６を備え、ケース１２前面に透過型スクリーン部材１８を備える。プロジェクタ本体１４から射出された像光は、光軸ＯＡ１に略沿って後方斜め上方に進行し、反射ミラー１６で光軸ＯＡ２方向に略沿って前面側に折り曲げられて、透過型スクリーン部材１８に入射する。
【００２５】
プロジェクタ本体１４は、光源光を発生する光源装置２１と、光源装置２１からの光源光をＲＧＢの３色に分割する色分割光学系２３と、色分割光学系２３から射出された各色の照明光によってそれぞれ照明される３つの液晶ライトバルブからなる光変調部２５と、光変調部２５からの各色の像光を合成するクロスダイクロイックプリズムである光合成光学系２７と、光合成光学系２７を経た像光を透過型スクリーン部材１８上に投射するための投射光学系である投射レンズ２９とを備える。このプロジェクタ本体１４は、不図示の手段によってケース１２底部に位置決めして固定されている。なお、図からも明らかなように、プロジェクタ本体１４からの像光は、光軸ＯＡ２に略沿って全体として傾いた状態で透過型スクリーン部材１８に入射する。このため、投射レンズ２９を光軸ＯＡ１に対して垂直方向に適宜変位させること等によって、透過型スクリーン部材１８に矩形のシャープな映像を投影することとしている。
【００２６】
反射ミラー１６は、台形の平面ミラーであり、不図示の手段によってケース１２内に位置決めして固定されている。
【００２７】
透過型スクリーン部材１８は、背面側にフレネルレンズシート、中間にレンチキュラレンズシート、前面側にフロントパネルを設けた積層体である。この透過型スクリーン部材１８は、開口形成用のマスクを兼ねるホルダ３１に支持されており、ホルダ３１とともに前面支持枠３２に埋め込まれた状態で固定されている。これらの透過型スクリーン部材１８、ホルダ３１、及び前面支持枠３２は、映像を表示するための映像表示部として機能する。透過型スクリーン部材１８の前面側には、当該透過型スクリーン部材１８の輪郭に沿って矩形の外装枠４１が着脱自在に取り付けられている。
【００２８】
この外装枠４１は、透過型スクリーン部材１８の有効領域の輪郭若しくは外縁に対応する開口ＡＰを有する。つまり、透過型スクリーン部材１８に通常の表示を行う場合、外装枠４１の開口ＡＰ内にぴったり収まるように映像が表示される。なお、透過型スクリーン部材１８の有効領域とは、以下に詳述するが、透過型スクリーン部材１８に映像を表示できる領域であり、この場合、４：３のアスペクト比を有する矩形となっている。
【００２９】
外装枠４１は、下部の裏面の一部に型式識別用の凹凸パターン４１ａを有している。すなわち、外装枠４１は、ユーザの好み等に応じて色彩が異なる同一形状の他の外装枠と交換できるようになっており、前面支持枠３２に埋め込まれた機械式の枠センサ３５によって、現在前面支持枠３２に取り付けられている外装枠４１の型式を自動的に判別できるようになっている。これにより、以下に詳述するが、透過型スクリーン部材１８中に外装枠４１の色彩等に応じた所望の表示を行わせることができる。
【００３０】
図２（ａ）は、図１のリアプロジェクション装置１０の前面上部を示し、図２（ｂ）は、外装枠の交換を説明する正面図である。
【００３１】
図２（ａ）に示すように、外装枠４１は、四角形の４辺に対応する帯状の枠体であり、枠内の開口ＡＰ越しに透過型スクリーン部材１８の有効領域ＥＡを観察することができる。この有効領域ＥＡは、４：３のアスペクト比を有しており、通常サイズの動画や静止画が表示される。図２（ｂ）に示すように、図２（ａ）の外装枠４１は、色彩等が異なる別の外装枠１４１に交換することができる。なお、この場合も、別の外装枠１４１に設けた凹凸パターン４１ａによってその型式を自動的に判別することができる。
【００３２】
図３（ａ）は、図２（ａ）に対応するもので有効領域の一部に映像を表示した例を示し、図３（ｂ）は、図２（ｂ）に対応する例を示す。
【００３３】
図３（ａ）に示す場合、第１色の外装枠４１に囲まれた透過型スクリーン部材１８の有効領域ＥＡのうち、中央の制限表示領域ＬＡは、比較的横長の１６：９のアスペクト比を有しており、ワイド画面サイズの動画や静止画を歪や欠けなく表示する。制限表示領域ＬＡの上側に設けた上側無映像領域ＴＱと、下側に設けた下側無映像領域ＢＱとは、映像が存在しない部分であり、外装枠４１に対して同一色相、類似色相等である第１色彩を表示する。さらに、制限表示領域ＬＡの外縁、すなわち制限表示領域ＬＡの左右端と外装枠４１との境界、さらに制限表示領域ＬＡの上下端と無映像領域ＴＱ，ＢＱとの境界には、長方形の４辺に対応する線状枠領域ＦＬが設けられている。この線状枠領域ＦＬは、外装枠４１等の色彩に対して否類似の補色等である第２色彩を表示する。
【００３４】
以上の結果、本リアプロジェクション装置１０では、外装枠４１に対して無映像領域ＴＱ，ＢＱが浮き立つことを防止できるだけでなく、制限表示領域ＬＡの外縁４辺が線状枠領域ＦＬによって強調され、外装枠４１と無映像領域ＴＱ，ＢＱとがより一体的に観察されるので、制限表示領域ＬＡに形成された、有効領域ＥＡと異なるアスペクト比の映像を違和感なく鑑賞することができる。つまり、ユーザは、あたかも外装枠４１が映像のアスペクト比に応じて変化するように感じることになる。なお、無映像領域ＴＱ，ＢＱに黒色を表示させた場合、制限表示領域ＬＡとの間で焼きつきの程度差が生じる可能性があるが、本リアプロジェクション装置１０では、そのような問題も生じにくい。
【００３５】
一方、図３（ｂ）に示す場合、図３（ａ）の場合と異なる第２色の外装枠１４１が透過型スクリーン部材１８の周囲に取り付けられている。この場合、上側無映像領域ＴＱと下側無映像領域ＢＱとに、第１色彩として、外装枠１４１の色彩（図３（ａ）の場合と異なる）に対して同一色相、類似色相等を表示する。なお、外装枠１４１や無映像領域ＴＱ，ＢＱの色彩に応じて、線状枠領域ＦＬの色彩を目立つよう変更することもできる。
【００３６】
以上の結果、本リアプロジェクション装置１０では、複数の外装枠４１，１４１を交換可能にも拘らず、交換前後において、外装枠４１，１４１と無映像領域ＴＱ，ＢＱとが一体的に観察され、制限表示領域ＬＡに形成された映像を違和感なく鑑賞することができる。
【００３７】
以上の説明では、第１色彩の色相について主に説明したが、第１色彩としては、以上から明らかなように、外装枠４１に近似する色相であって明度や彩度が近似するものを使用することが望ましい。また、第２色彩としては、外装枠４１に非類似の色相だけに限らず、類似の色相であっても明度や彩度が非近似のものを使用することができる。例えば、外装枠４１の色彩に対して明度差のある黒、グレー等の無彩色とすることもできる。
【００３８】
図４は、図１のリアプロジェクション装置１０に内蔵されている信号処理回路の一部を概念的に説明するブロック図である。この信号処理回路は、ビデオ信号等の外部映像信号が入力される映像処理部５１と、映像処理部５１から出力された映像信号に擬似枠や境界線を重畳する枠・線重畳部５２と、ユーザが動作状態を設定する操作部５３と、図１等に示す透過型スクリーン部材１８に表示すべき像光を形成する表示部５５と、これらの動作を統括的に制御する制御部５７とを備える。これらのうち、映像処理部５１、枠・線重畳部５２、及び制御部５７は、リアプロジェクション装置１０に設けた透過型スクリーン部材１８に投射すべき映像の状態を調整する表示制御装置となっている。
【００３９】
以上の信号処理回路のうち、映像処理部５１は、外部から入力された映像信号が４：３のアスペクト比を有するか１６：９のアスペクト比を有するかに関する情報を制御部５７に出力する。また、映像処理部５１は、４：３のアスペクト比を有する映像信号に対して、映像全体が図２（ａ）に示す透過型スクリーン部材１８の有効領域ＥＡにぴったり収まるような処理を施す。この結果、映像信号に対応する映像が有効領域ＥＡ全面に歪や欠落なく表示される。一方、映像処理部５１は、比較的横長の１６：９のアスペクト比を有する映像信号に対して、映像全体が図２（ａ）に示す透過型スクリーン部材１８の有効領域ＥＡに収まるようなアスペクト変換処理を施す。この結果、映像信号に対応する映像が、レターボックス形式同様に有効領域ＥＡの左右いっぱい、かつ、上下中間の制限表示領域ＬＡに歪や欠落なく表示される（図３（ａ）参照）。
【００４０】
枠・線重畳部５２は、映像処理部５１から出力された駆動信号が後者のように比較的横長の１６：９のアスペクト比を有するものである場合、図３（ａ）に示すように、映像信号に対応する映像が表示される制限表示領域ＬＡの上下の無映像領域ＴＱ，ＢＱに、外装枠４１の色彩と関連する類似色相の第１色彩を表示させるような信号処理を行う。また、枠・線重畳部５２は、映像処理部５１から駆動出力された信号が比較的横長の１６：９のアスペクト比を有するものである場合、制限表示領域ＬＡの外縁の線状枠領域ＦＬに、外装枠４１等の色彩に対して類似性の低い第２色彩を表示させるような信号処理を行う。枠・線重畳部５２で行われる以上のような処理を「枠重畳処理」と呼ぶものとする。
【００４１】
枠重畳処理について具体的に説明すると、枠・線重畳部５２は、例えばスイッチング回路により、画面上から所定走査線分の上側無映像領域ＴＱの描画に対応するタイミングで上記第１色彩に対応する擬似枠信号を生成し表示部５５に出力する。また、枠・線重畳部５２は、中間の制限表示領域ＬＡを表示する直前の数走査線分の描画（線状枠領域ＦＬの上辺）に対応するタイミングで上記第２色彩に対応する擬似枠信号を生成し表示部５５に出力する。また、枠・線重畳部５２は、中間の制限表示領域ＬＡを表示する走査線の描画に際して、各走査線の最初と最後の数画素分（線状枠領域ＦＬの左辺及び右辺）のタイミングで上記第２色彩に対応する擬似枠信号を生成し表示部５５に出力するとともに、最初と最後を除いた全体では、映像処理部５１からの映像信号に対応する駆動信号を生成し表示部５５に出力する。また、また、枠・線重畳部５２は、中間の制限表示領域ＬＡを表示した直後の数走査線分の描画（線状枠領域ＦＬの下辺）に対応するタイミングで上記第２色彩に対応する擬似枠信号を生成し表示部５５に出力する。さらに、枠・線重畳部５２は、画面下から所定走査線分の下側無映像領域ＢＱの描画に対応するタイミングで上記第１色彩に対応する擬似枠信号を生成し表示部５５に出力する。
【００４２】
なお、以上の動作は例示であり、図２（ａ）に示す透過型スクリーン部材１８の有効領域ＥＡに対応するフレームメモリを設けることもでき、この場合、フレームメモリのうち、上下の所定行数の画素分（図３（ａ）の無映像領域ＴＱ，ＢＱに相当）に、上記第１色彩に対応する画素信号を書き込んで保持する。また、フレームメモリのうち、中央の矩形領域（図３（ａ）の制限表示領域ＬＡに相当）に、映像処理部５１からの映像信号に対応する画素信号を書き込んで保持する。さらに、フレームメモリのうち、制限表示領域ＬＡの外縁に相当する矩形枠状領域に、上記第２色彩に対応する画素信号を書き込んで保持する。
【００４３】
操作部５３は、制御部５７に制御信号を出力してリアプロジェクション装置１０の動作モードを切り替える。例えば、無映像領域ＴＱ，ＢＱに、外装枠４１の色彩と関連する第１色彩を表示させず、無映像領域ＴＱ，ＢＱに黒色を表示させるレターボックス表示を行わせることもできる。また、無映像領域ＴＱ，ＢＱに、ユーザの好みの色彩を表示させることもできる。さらに、ズームやパノラマ表示等を行わせる動作モードを選択できるようにもなっている。
【００４４】
表示部５５は、光変調部２５を構成する３つの液晶ライトバルブ２５ａ，２５ｂ，２５ｃを備えてなり、各液晶ライトバルブ２５ａ，２５ｂ，２５ｃに含まれる各色の液晶表示パネルに対応して駆動回路等を備える。これらの駆動回路は、枠・線重畳部５２を経た映像信号に応じて動作する。
【００４５】
制御部５７は、映像処理部５１から、映像信号が４：３と１６：９のいずれのアスペクト比とを有するかに関する情報を受け取る。また、制御部５７は、操作部５３によって設定された動作モードで動作している。通常の動作モードにおいて、入力信号が４：３のアスペクト比の映像信号である場合、制御部５７は、枠・線重畳部５２で処理を行わせず、映像処理部５１からの映像信号をそのまま表示部５５に出力させる。つまり、制御部５７は、図２（ａ）に示す透過型スクリーン部材１８の有効領域ＥＡ全体に映像を表示させる。一方、入力信号が比較的横長の１６：９のアスペクト比の映像信号である場合、制御部５７は、枠・線重畳部５２に対し透過型スクリーン部材１８の適所に枠を表示させる枠重畳処理を行わせ、枠重畳処理後の映像信号を表示部５５に出力させる。つまり、制御部５７は、枠・線重畳部５２での処理によって図３（ａ）に示す透過型スクリーン部材１８の無映像領域ＴＱ，ＢＱや線状枠領域ＦＬに対応する色表示を行わせることができる。この際、線状枠領域ＦＬに囲まれた制限表示領域ＬＡに１６：９のアスペクト比の映像が表示される。
【００４６】
制御部５７は、枠センサ３５からの検出信号に基づいて、図２（ａ）の外装枠４１と図２（ｂ）の外装枠１４１とのいずれが透過型スクリーン部材１８の周囲に装着されているかを判定できるようになっており、両外装枠４１，１４１のいずれが装着されているかに応じて、枠・線重畳部５２の枠重畳処理を切り替えられるようになっている。つまり、図３（ａ）に示す外装枠４１が装着されている場合、無映像領域ＴＱ，ＢＱに外装枠４１に対応する色彩を表示させ、図３（ｂ）に示す外装枠１４１が装着されている場合、無映像領域ＴＱ，ＢＱに外装枠１４１に対応する色彩を表示させる。
【００４７】
〔第２実施形態〕
図５は、第２実施形態に係るリアプロジェクション装置を説明する正面図である。このリアプロジェクション装置２１０は、図１等に示す第１実施形態に係るリアプロジェクション装置１０を変形したものであり、特に説明しない部分については、第１実施形態の装置と同様であるものとする。
【００４８】
このリアプロジェクション装置２１０の場合、透過型スクリーン部材２１８や外装枠２４１が１６：９のアスペクト比を有しており、ワイド画面サイズの映像を表示するのが通常である。
【００４９】
一方、このように比較的横長の透過型スクリーン部材２１８に通常サイズの映像を表示する場合、透過型スクリーン部材２１８の有効領域ＥＡのうち不使用の部分に枠を表示する枠重畳処理が行われる。すなわち、中央の制限表示領域ＬＡ２は、４：３のアスペクト比を有しており、通常サイズの動画や静止画を歪や欠けなく表示する。制限表示領域ＬＡ２の左側に設けた左側無映像領域ＬＱと、右側に設けた右側無映像領域ＲＱとは、映像が存在しない部分であり、外装枠２４１に対して同一色相、類似色相等である第１色彩を表示する。さらに、制限表示領域ＬＡ２の外縁、すなわち制限表示領域ＬＡ２の上下端と外装枠２４１との境界、さらに制限表示領域ＬＡ２の左右端と無映像領域ＬＱ，ＲＱとの境界には、長方形の４辺に対応する線状枠領域ＦＬ２が設けられている。この線状枠領域ＦＬ２は、外装枠２４１等の色彩に対して否類似の補色等である第２色彩を表示する。
【００５０】
以上の結果、本リアプロジェクション装置２１０では、外装枠２４１に対して無映像領域ＬＱ，ＲＱが浮き立つように表示されることを防止できるだけでなく、制限表示領域ＬＡ２の外縁４辺が線状枠領域ＦＬ２によって強調され、外装枠２４１と無映像領域ＬＱ，ＲＱとがより一体的に観察されるので、制限表示領域ＬＡ２に形成された通常のアスペクト比の映像を違和感なく鑑賞することができる。なお、本リアプロジェクション装置２１０では、複数の外装枠２４１を交換可能にも拘らず、交換前後において、外装枠２４１と無映像領域ＬＱ，ＲＱとが一体的に観察され、制限表示領域ＬＡ２に形成された映像を自然に鑑賞することができる。
【００５１】
〔第３実施形態〕
図６（ａ）及び図６（ｂ）は、第３実施形態に係るリアプロジェクション装置を説明する正面図である。
【００５２】
図６（ａ）は、図３（ａ）に示す表示例を変形したものであり、透過型スクリーン部材１８において、制限表示領域ＬＡの上下端と無映像領域ＴＱ，ＢＱとの境界にのみ線状枠領域ＦＬ’が表示されている。これらの線状枠領域ＦＬ’には、第１実施形態の場合と同様に、外装枠４１等の色彩に対して否類似の補色等である第２色彩を表示する。なお、上下の無映像領域ＴＱ，ＢＱには、外装枠４１に対して同一色相、類似色相等である第１色彩を表示する。この場合も、制限表示領域ＬＡと無映像領域ＴＱ，ＢＱとの境界が線状枠領域ＦＬ’によって強調され、外装枠４１と無映像領域ＴＱ，ＢＱとがより一体的に観察される。
【００５３】
図６（ｂ）は、図５に示す表示例を変形したものであり、透過型スクリーン部材２１８において、制限表示領域ＬＡ２の左右端と無映像領域ＬＱ，ＲＱとの境界にのみ線状枠領域ＦＬ２’が表示されている。これらの線状枠領域ＦＬ２’には、第２実施形態の場合と同様に、外装枠２４１等の色彩に対して否類似の補色等である第２色彩を表示する。なお、左右の無映像領域ＬＱ，ＲＱには、外装枠２４１に対して同一色相、類似色相等である第１色彩を表示する。この場合も、制限表示領域ＬＡ２と無映像領域ＬＱ，ＲＱとの境界が線状枠領域ＦＬ２’によって強調され、外装枠２４１と無映像領域ＬＱ，ＲＱとがより一体的に観察される。
【００５４】
〔第４実施形態〕
図７（ａ）及び図７（ｂ）は、第４実施形態に係るリアプロジェクション装置を説明する正面図である。
【００５５】
図７（ａ）は、図６（ａ）に示す表示例を変形したものであり、透過型スクリーン部材１８において、制限表示領域ＬＡの上下端に無映像領域ＴＱ，ＢＱが表示されているが、図６（ａ）の線状枠領域ＦＬ’に相当するものが表示されてない。なお、上下の無映像領域ＴＱ，ＢＱには、外装枠４１に対して同一色相、類似色相等である第１色彩を表示する。この場合、外装枠４１に対して無映像領域ＴＱ，ＢＱが浮き立つことを防止できる。
【００５６】
図７（ｂ）は、図６（ｂ）に示す表示例を変形したものであり、透過型スクリーン部材２１８において、制限表示領域ＬＡ２の左右端に無映像領域ＬＱ，ＲＱが表示されているが、図６（ｂ）の線状枠領域ＦＬ２’に相当するものが表示されてない。なお、左右の無映像領域ＬＱ，ＲＱには、外装枠２４１に対して同一色相、類似色相等である第１色彩を表示する。この場合、外装枠２４１に対して無映像領域ＬＱ，ＲＱが浮き立つことを防止できる。
【００５７】
〔第５実施形態〕
図８は、第５実施形態に係るリアプロジェクション装置を説明する正面図である。
【００５８】
図８は、図５に示す表示例を変形したものであり、透過型スクリーン部材２１８の中央部に周囲の外装枠２４１に全く接しない制限表示領域ＬＡを設けている。つまり、制限表示領域ＬＡは、外装枠２４１内の透過型スクリーン部材２１８よりも一回り小さくなっている。図示の例では、制限表示領域ＬＡのアスペクト比と透過型スクリーン部材２１８のアスペクト比とが異なっているが、両者のアスペクト比を一致させることもできる。本実施形態は、リサイズ処理などで映像の大きさを有効領域よりも小さくする場合に対応しており、ＰＣ映像などを表示する場合に好適である。なお、この場合、図４に示す信号処理回路の映像処理部５１や制御部５７では、映像信号のアスペクト比に応じて表示領域を最大限とする処理ではなく、映像の縮小処理等を含む映像サイズの管理が行われる。具体的には、例えば操作部５３からのリサイズ指令信号に応じて制御部５７にリサイズ処理モードを設定し、映像処理部５１では、制御部５７からの制御信号に基づいて、映像信号に対して透過型スクリーン部材２１８よりも一回り小さく表示させるリサイズ処理が施される。
【００５９】
本実施形態の場合、リサイズ処理後の映像を表示する制限表示領域ＬＡの外周に、上下左右を囲むように比較的幅広い無映像領域ＰＱが表示されている。また、制限表示領域ＬＡと無映像領域ＰＱとの境界に線状枠領域ＦＬが表示されている。ここで、無映像領域ＰＱには、第１実施形態の場合と同様に、外装枠２４１に対して同一色相、類似色相等である第１色彩を表示する。また、線状枠領域ＦＬには、外装枠２４１等の色彩に対して否類似の補色等である第２色彩を表示する。この場合も、制限表示領域ＬＡと無映像領域ＰＱとの境界が線状枠領域ＦＬによって強調され、外装枠２４１と無映像領域ＰＱとがより一体的に観察される。
【００６０】
〔第６実施形態〕
図９（ａ）及び図９（ｂ）は、第６実施形態に係るリアプロジェクション装置を説明する部分拡大断面図である。
【００６１】
図９（ａ）は、図１に示す第１実施形態に係るリアプロジェクション装置１０等を変形したものであり、外装枠４１（１４１，２４１）の背後に光量検出用の環境センサ５３５を設けた構造となっている。環境センサ５３５は、容器５３７に収納されて外装枠４１（１４１，２４１）の背面に固定されており、外装枠４１（１４１，２４１）の適所に形成された開口４１ｃに設けた集光レンズ５３９に対向している。この環境センサ５３５を利用することで、リアプロジェクション装置の周囲環境（例えば、明るい室内、暗い室内、昼間、夕方、夜間等）の明るさを検出することができる。これにより、図４の枠・線重畳部５２における処理内容を変更することができる。具体的には、環境センサ５３５の検出結果を図４の制御部５７に取り込んで、その検出結果に基づいて枠・線重畳部５２の動作を変更し、図３（ａ）等に示す無映像領域ＴＱ，ＢＱ，ＬＱ，ＲＱ，ＰＱに表示させる第１色彩の明度設定等を変化させ、さらに、線状枠領域ＦＬ，ＦＬ２に表示させる第２色彩の明度設定や色相設定を変化させる。これにより、周囲環境の明暗変化に拘わらず、無映像領域ＴＱ，ＢＱ，ＬＱ，ＲＱ，ＰＱが外装枠４１（１４１，２４１）等と一体視されやすい状態に維持される。よって、制限表示領域ＬＡに形成された映像を常に違和感なく鑑賞することができる。
【００６２】
図９（ｂ）は、図１に示す第１実施形態に係るリアプロジェクション装置１０等を変形したものであり、外装枠４１（１４１，２４１）の背後に色彩及び光量検出用の枠環境センサ６３５を設けた構造となっている。枠環境センサ６３５は、容器６３７に収納されて外装枠４１（１４１，２４１）背面に対向する適所に固定されたカラーセンサであり、外装枠４１（１４１，２４１）の適所に形成された観察窓４１ｄの背後に設けた集光レンズ５３９に対向している。観察窓４１ｄは、遮光性基板４１ｆの一部に形成された円形の透明部４１ｇに対応し、外装枠４１（１４１，２４１）の表面塗装４１ｈを介して外光を取り入れることができるようになっている。この枠環境センサ６３５を利用することで、リアプロジェクション装置の周囲環境の明るさを検出することができるだけでなく、外装枠４１（１４１，２４１）の色も判別することができる。これにより、周囲環境の変化や外装枠４１（１４１，２４１）の交換に応じて、図４の枠・線重畳部５２における処理内容を変更することができる。具体的には、枠環境センサ６３５の出力を図４の制御部５７に取り込んで、その検出結果に基づいて枠・線重畳部５２の動作を変更し、無映像領域ＴＱ，ＢＱ，ＬＱ，ＲＱ，ＰＱに表示させる第１色彩の色相設定や明度設定を変化させ、さらに、線状枠領域ＦＬ，ＦＬ’，ＦＬ２，ＦＬ２’に表示させる第２色彩の色相設定や明度設定を変化させる。これにより、周囲環境の明暗変化や外装枠４１（１４１，２４１）の交換に拘わらず、無映像領域ＴＱ，ＢＱ，ＬＱ，ＲＱ，ＰＱが外装枠４１（１４１，２４１）と一体視されやすい状態に維持される。よって、制限表示領域ＬＡに形成された映像を常時違和感なく鑑賞することができる。
【００６３】
以上実施形態に即して本発明を説明したが、本発明は、上記実施形態に限定されるものではない。例えば、上記技術は、リアプロジェクション装置１０だけでなく、液晶表示装置（ＬＣＤ）、プラズマ表示装置（ＰＤＰ）等の各種平面ディスプレイ（ＦＰＤ）に適用することができる。つまり、平面ディスプレイの映像表示部と周囲の外装枠との間に外装枠の色彩と近似する色彩の無映像領域を設け、中央の制限表示領域の周囲に外装枠の色彩と近似しない色彩の線状枠領域を設ける。この際、外装枠の交換や周囲環境の変化に応じて、無映像領域や線状枠領域の色相、光量等を調節することもできる。
【００６４】
また、以上の各実施形態において、線状枠領域ＦＬ，ＦＬ’，ＦＬ２，ＦＬ２’の幅は例示であり、様々な幅の線又は帯とすることができる。
【図面の簡単な説明】
【００６５】
【図１】第１実施形態に係るリアプロジェクション装置の側面図である。
【図２】（ａ）は、図１の装置の前面上部を示し、（ｂ）は、外装枠の交換を説明する。
【図３】（ａ）は、図２（ａ）に対応する一部映像表示例であり、（ｂ）は、図２（ｂ）に対応する一部映像表示例である。
【図４】図１の装置に内蔵されている信号処理回路のブロック図である。
【図５】第２実施形態に係る装置を説明する正面図である。
【図６】（ａ）、（ｂ）は、第３実施形態に係る装置を説明する正面図である。
【図７】（ａ）、（ｂ）は、第４実施形態に係る装置を説明する正面図である。
【図８】第５実施形態に係る装置を説明する正面図である。
【図９】（ａ）、（ｂ）は、第５実施形態の装置を説明する部分拡大断面図である。
【符号の説明】
【００６６】
１０…リアプロジェクション装置、  １４…プロジェクタ本体、  １６…反射ミラー、  １８…透過型スクリーン部材、  ２５…光変調部、  ２５ａ，２５ｂ，２５ｃ…液晶ライトバルブ、  ２９…投射レンズ、  ３２…前面支持枠、  ３５…枠センサ、  ４１…外装枠、  ５１…映像処理部、  ５２…枠・線重畳部、  ５３…操作部、  ５５…表示部、  ５７…制御部、  ＡＰ…開口、  ＢＱ…下側無映像領域、  ＥＡ…有効領域、  ＦＬ…線状枠領域、  ＬＡ…制限表示領域、  ＬＱ…左側無映像領域、  ＲＱ…右側無映像領域、  ＴＱ…上側無映像領域
【図１】
2006201425.tif 000003
【図２】
2006201425.tif 000004
【図３】
2006201425.tif 000005
【図４】
2006201425.tif 000006
【図５】
2006201425.tif 000007
【図６】
2006201425.tif 000008
【図７】
2006201425.tif 000009
【図８】
2006201425.tif 000010
【図９】
2006201425.tif 000011